(57)【特許請求の範囲】
【請求項１】
走行機体（２）と、
該走行機体（２）の前部に昇降可能に連結された刈取部（３）とを備え、
該刈取部（３）は、前後方向に延設された左右一対の刈取フレーム（１１）と、該刈取フレーム（１１）の前端側に設けたデバイダ（１２）と、作物を掻込むリール（１４）と、該リール（１４）を前記刈取フレーム（１１）に対して昇降させる昇降シリンダ（１６）とを有する汎用コンバインにおいて、
前記刈取部（３）における上記昇降シリンダ（１６）の真正面側には、作物をガイドするガイド体（２１）が配置され、
前記ガイド体（２１）は、前記デバイダ（１２）及び前記昇降シリンダ（１６）が取付けられる前記刈取フレーム（１１）に固定され、
前記ガイド体（２１）は、前記刈取フレーム（１１）に対する上下方向のガイド幅が調整可能に構成された
ことを特徴とする汎用コンバイン。
【請求項２】
前記ガイド体（２１）は、複数の別体形成された分割体（４１，４２，５２）によって構成されるとともに、該分割体（４１，４２，５２）の取付位置を回動調整することにより、ガイド体（２１）全体の高さが調整できるように構成された
請求項１に記載の汎用コンバイン。
【請求項３】
前記ガイド体（２１）は、複数の別体形成された分割体（４１，４２，５２）によって構成されるとともに、該分割体（４１，４２，５２）の一部を交換することにより、ガイド体（２１）全体の高さが調整できるように構成された
請求項１に記載の汎用コンバイン。
【請求項４】
前記ガイド体（２１）は、複数の別体形成された分割体（４１，４２，５２）によって構成されるとともに、該分割体（４１，４２，５２）の取付位置を上下方向にスライド移動することにより、ガイド体（２１）全体の高さが調整できるように構成された
請求項１に記載の汎用コンバイン。
【請求項５】
前記ガイド体（２１）は、刈取部（３）側への取付位置を変更することにより、ガイド体（２１）によるガイド幅が調整できるように構成された
請求項１に記載の汎用コンバイン。
【発明の詳細な説明】
【技術分野】
【０００１】
本発明は、刈取部に対して昇降可能なリールを備えた汎用コンバインに関する。
【背景技術】
【０００２】
走行機体と、該走行機体の前部に昇降可能に連結された刈取部とを備え、該刈取部は、作物を掻込むリールと、該リールの高さ位置を刈取作業に適した高さ位置に変更することができる特許文献１に記載の汎用コンバインが従来公知である。
【先行技術文献】
【特許文献】
【０００３】
【特許文献１】特開２０１４−８７２７９号公報
【発明の概要】
【発明が解決しようとする課題】
【０００４】
上記文献の汎用コンバインによれば、刈取る穀稈の種類・長さに応じて、走行機体に対して昇降作動する刈取部と、該刈取部に対して昇降作動するリールの昇降位置を調整することによって、穀稈の種類によらず刈取作業できるものであるが、リールによって穀稈を掻込む際に、穀稈の穂先側が前記リール昇降シリンダ側に引っ掛かることで穀稈の掻込みがスムーズにできない場合があるという課題があった。
【０００５】
本発明では、刈取フレームに対してリールを昇降作動させるリール昇降シリンダを備えた汎用コンバインにおいて、穀稈の種類や、リールの昇降位置によらず、リールによる穀稈の掻込みをスムーズにすることができる汎用コンバインを提供することを課題としている。
【課題を解決するための手段】
【０００６】
上記課題を解決するため、第１に、走行機体２と、該走行機体２の前部に昇降可能に連結された刈取部３とを備え、該刈取部３は、前後方向に延設された左右一対の刈取フレーム１１と、該刈取フレーム１１の前端側に設けたデバイダ１２と、作物を掻込むリール１４と、該リール１４を前記刈取フレーム１１に対して昇降させる昇降シリンダ１６とを有する汎用コンバインにおいて、前記刈取部３における上記昇降シリンダ１６の真正面側には、作物をガイドするガイド体２１が配置され、前記ガイド体２１は、前記デバイダ１２及び前記昇降シリンダ１６が取付けられる前記刈取フレーム１１に固定され、前記ガイド体２１は、前記刈取フレーム１１に対する上下方向のガイド幅が調整可能に構成された
ことを特徴としている。
【０００７】
第２に、前記ガイド体２１は、複数の別体形成された分割体４１，４２，５２によって構成されるとともに、該分割体４１，４２，５２の取付位置を回動調整することにより、ガイド体２１全体の高さが調整できるように構成されたことを特徴としている。
【０００８】
第３に、前記ガイド体２１は、複数の別体形成された分割体４１，４２，５２によって構成されるとともに、該分割体４１，４２，５２の一部を交換することにより、ガイド体２１全体の高さが調整できるように構成されたことを特徴としている。
【０００９】
第４に、前記ガイド体２１は、複数の別体形成された分割体４１，４２，５２によって構成されるとともに、該分割体４１，４２，５２の取付位置を上下方向にスライド移動することにより、ガイド体２１全体の高さが調整できるように構成されたことを特徴としている。
【００１０】
第５に、前記ガイド体２１は、刈取部３側への取付位置を変更することにより、ガイド体２１によるガイド幅が調整できるように構成されたことを特徴としている。
【発明の効果】
【００１１】
前記ガイド体を前記昇降シリンダの正面に配置したことにより、リールで掻込まれた穀稈の穂先側が昇降シリンダに絡まることを効率的に防止できるとともに、穀稈の長さに応じてガイド体による上下方向のガイド幅を調整することにより、様々な種類の穀稈をスムーズにガイドすることができる。
【００１２】
また、前記ガイド体は、複数の別体形成された分割体によって構成されるとともに、該分割体の取付位置を変更することによりガイド体全体の高さが調整可能に構成されたものによれば、刈取られる穀稈の種類・高さに応じてガイド体の高さを適正に保つことができるため、穀稈の種類によらず穀稈をスムーズにガイドし、効率良く刈取作業をすることができる。
【００１３】
また、前記ガイド体は、複数の別体形成された分割体によって構成されるとともに、該分割体の一部を交換することによってガイド体全体の高さが調整可能に構成されたものによれば、刈取られる穀稈の種類・高さに応じてガイド体の高さを適正に保つことができるとともに、穀稈をガイドする面のみの交換作業等もできるようになるため、メンテナンスが容易になる。
【００１４】
なお、前記ガイド体は、上下方向にスライド移動可能に構成されたものによれば、刈取られる穀稈の種類・高さに応じたガイド体の高さの変更を、よりスムーズに行うことができる。
【図面の簡単な説明】
【００１５】
【図１】本発明を適用した汎用コンバインの全体側面図である。
【図２】リールが上昇した状態を示した汎用コンバインの全体側面図である。
【図３】刈取部を示した要部斜視図である。
【図４】ガイド体の設置状態を示した要部平面図である。
【図５】（Ａ）は、ガイド体の組立状態を示した斜視図であり、（Ｂ）は、ガイド体の部品構成を示した斜視図である。
【図６】（Ａ）は、ガイド部を示した側面図であり、（Ｂ）及び（Ｃ）は、ガイド部の別実施例を示した側面図である。
【図７】（Ａ）及び（Ｂ）は、刈取部の昇降状態に応じたガイド体のガイド範囲を示した要部側面図である。
【図８】別実施例２のガイド体を示した斜視図である。
【図９】（Ａ）及び（Ｂ）は、別実施例２のガイド体を設けて掻込リールを上昇作動した状態を示す要部側面図と、別実施例のガイド体を設けて掻込リールを下降作動した状態を示す要部側面図である。
【発明を実施するための形態】
【００１６】
図１は、本発明を適用した汎用コンバインの全体側面図であり、図２は、リールが上昇した状態を示した汎用コンバインの全体側面図であり、図３は、刈取部を示した要部斜視図である。図より、本汎用コンバインは、走行部である左右一対のクローラ式走行装置１，１に支持された走行機体２と、該走行機体２の前方に昇降可能に連結されて圃場の作物（穀稈）の刈取作業を行う刈取部３とを備えている。
【００１７】
前記走行機体２は、オペレータが乗込んで操向操作を行う操縦部４を刈取部３の真後ろ側近傍における右寄り位置に設け、該操縦部４の後方斜め左側には、前記刈取部３で刈取られた穀稈の脱穀作業等を行う脱穀装置６を設置し、操縦部４の後方且つ脱穀装置６右側には、脱穀装置６によって脱穀された処理物である穀粒を収納するグレンタンク７を配置し、脱穀装置６の後方には、脱穀後の藁屑等を排出する排出部８が設けられている。
【００１８】
前記刈取部３は、刈取った作物を脱穀装置６側に搬送するフィーダ９と、該フィーダ９の左右両端の前端側に連結されてそれぞれ前方側に向って延設された刈取フレーム１１と、該刈取フレーム１１の前端に設けた左右一対のデバイダ１２，１２と、該刈取フレーム１１側に支持された左右方向の支持フレーム２０の左右両端側からそれぞれ前方に向って延出している左右一対の支持アーム１３，１３と、該左右の支持アーム１３の延出端の間に、回転自在に架設支持された掻込リール１４（リール）とを備えている。
【００１９】
該支持アーム１３と刈取フレーム１１との間には、伸縮によって前記掻込リールを刈取部３の本体に対して昇降させるリールシリンダ１６（昇降シリンダ）が、左右一対設置されている。ちなみに、該リールシリンダ１６は、基端側が刈取フレーム１１内側に固定されて、先端側が刈取フレーム１１の上面側に形成された前後方向の挿入孔１１ａを介して支持アーム１３の中途部に取付固定されている（図３参照）。
【００２０】
すなわち、該リールシリンダ１６が伸長作動されると、支持アーム１３が支持フレーム２０を軸に上方揺動されるため、掻込リール１４が刈取フレーム１１に対して上昇作動する（図２参照）。その一方で、リールシリンダ１６が縮小作動されると、支持フレーム２０を軸に支持アーム１３が下方揺動されるため、掻込リール１４が刈取フレーム１１に対して下降作動する。
【００２１】
また、左右一方側（図示する例では右側）の支持アーム１３には、掻込リール１４に動力を伝動する伝動ケース１７が設けられている。これにより、掻込リール１４は、刈取部３の本体側に対して昇降作動されるとともに、伝動ケース１７から伝動される動力によって自身の軸回りに回転駆動可能に構成されている。
【００２２】
さらに、該刈取部３は、走行機体２の前部との間に油圧式のリフトシリンダ（図示しない）が取付けられている。すなわち、該リフトシリンダを伸長作動させることにより、刈取部３が走行機体２に対して上昇作動する一方で、リフトシリンダを縮小作動させることにより、刈取部３が走行機体２に対して下降作動する（図７参照）。
【００２３】
該構成の刈取部３は、まず、圃場の作物を、前記左右のデバイダ１２，１２の間である刈取側と、該刈取側の左右両外側である非刈取側とに分草する。このとき、左右一方（図示する例では左）のデバイダ１２側には、屈曲形成された棒状部材であって、デバイダ１２に沿って上方回動された収容姿勢と、左右外側に向けて下方回動された使用姿勢とに切換可能に構成されたナローガイド１５が設けられており、該ナローガイド１５は、使用姿勢に切換えられることにより、未刈り側の穀稈を左右外側に分草する。
【００２４】
次に、該デバイダ１２及びナローガイド１５により分草された刈取側の作物である植立穀稈は、前記掻込リール１４によって刈取側に掻込まれながらデバイダ１２の後方に備えたレシプロ式の刈刃１９によって根元から刈取られる。
【００２５】
このとき、左右のリールシリンダ１６の前方側には、それぞれガイド体２１が設けられており、該ガイド体２１により、デバイダ１２によって刈取側に分草された作物の先端側（穀稈の穂先側）が、リールシリンダ１６に絡まることを防ぐことができる。該ガイド体２１の具体的な構成については後述する。
【００２６】
上記より、刈取部３によって刈取られた穀稈は、刈取フレーム１１側の搬送オーガ１０により前記フィーダ９の前端側へ送られ、該フィーダ９に搬送された穀稈がフィーダ９の内部に備えた搬送コンベア２２によって後方側に搬送される。フィーダ９の後端側に搬送された刈取穀稈は、前記脱穀装置６の上部前端側に送られる。
【００２７】
前記脱穀装置６は、該脱穀装置６の上側に配置されて前記フィーダ９から搬送された刈取穀稈の脱穀作業を行う脱穀部２６と、脱穀装置６の下側に配置されて前記脱穀部２６により脱穀された処理物を穀粒と藁屑等の排塵物とに選別する選別部２７とを有している。
【００２８】
前記脱穀部２６は、前記フィーダ９の後端側から刈取穀稈の全部が投入される扱室２８と、該扱室２８の前後方向全体に亘って延設された回転軸回りに回転駆動し、その前端側が漏斗型となる円筒状に形成された扱胴２９と、該扱胴２９の下方に配置されて、扱胴２９の形状に沿って背面視で中央が窪んだ円弧状をしている受網（図示しない）とを備えている。
【００２９】
該構成により、脱穀部２６（扱室２８）に全稈投入された刈取穀稈は、回転駆動される扱胴２９によって扱降し処理（脱穀処理）されて排藁となり、該排藁は扱室２８後方の排出部８から機外へと排出される。その一方で、扱胴２９によって脱穀処理された処理物は、籾等の穀粒と藁屑等とを含んでおり、受網に受止められるとともに下方に漏下することで選別部２７側に導入される。
【００３０】
前記選別部２７は、前記受網から漏下した処理物を揺動選別する揺動選別体３２と、該揺動選別体３２の前方下側に配置されて後方上側に向けて選別風を送風する唐箕ファン３３と、選別後の排塵物を機外へ排出する二番選別ファン３４と、唐箕ファン３３によって選別された１番物である穀粒を回収する１番ラセン３６と、２番物を回収する２番ラセン３７とを備えている。
【００３１】
該構成により、揺動選別体３２で揺動選別されて漏下した処理物は、唐箕ファン３３によって起風された選別風の影響を殆ど受けずに選別部２７の前後方向中央（１番ラセン３６）よりも若干前方側に落下して前記１番ラセン３６によって回収される１番物と、選別風の影響を若干受けて１番ラセン３６よりも後方に落下して前記２番ラセン３７によって回収される２番物とに風選され、藁屑等は上記選別風によって排出部８から機外に飛ばされる。
【００３２】
該１番ラセン３６によって回収された穀粒は、該１番ラセン３６の搬送端側に設けられた穀粒搬送装置（図示しない）を介して上方搬送されることにより、前記グレンタンク７側へと搬送される。
【００３３】
次に、図１乃至図６に基づき、前記ガイド体の構成について説明する。図４は、ガイド体の設置状態を示した要部平面図であり、図５（Ａ）は、ガイド体の組立状態を示した斜視図であり、図５（Ｂ）は、ガイド体の部品構成を示した斜視図であり、図６（Ａ）は、ガイド部を示した側面図である。
【００３４】
前記ガイド体２１は、前記刈取フレーム１１の上面側において、前記デバイダ１２と、リールシリンダ１６との間に設置された板状のカバー体であって、刈取フレーム１１側に着脱可能に取付けられる取付部（分割体）４１と、該取付部４１側に着脱可能に支持されるガイド部（分割体）４２とに分割形成されている（図５（Ｂ）参照）。
【００３５】
前記取付部４１は、Ｌ字状に屈曲形成されて刈取フレーム１１の上面側と左右外側面とに当接することで取付位置に位置決めされ、該状態で固定される固定面４３と、該固定面４３（刈取フレーム１１）の左右内側端部から上方側に向けて延設されて、前記ガイド部４２が取付支持される取付面４４とが一体成形されている。このとき、固定面４３の後部側は、刈取フレーム１１上面側の前記挿通孔１１ａと干渉しないように切欠４３ｂが形成されている（図４及び図５参照）。
【００３６】
上記固定面４３は、刈取フレーム１１の左右外側の側面にボルト固定するための固定孔４３ａが前後に複数（図示する例では２箇所）穿設されるとともに、刈取フレーム１１の上面側にボルト固定するための固定孔４３ａが後端側に穿設されている。すなわち、該固定孔４３ａを介して固定面４３が刈取フレーム１１側にボルト固定されることにより、ガイド体２１が刈取フレーム１１（刈取部３）側に着脱可能に固定される。
【００３７】
上記取付面４４は、刈取フレーム１１側に取付けられた際に、前後方向が、デバイダ１２の後端側から、リールシリンダ１６の側方側に至るまで延設されるとともに、後方に向って上方傾斜するように立上形成されることで全体が扇状に成形されている。また、該取付面４４の上端側には、前記ガイド部４２を取付支持するための取付孔４４ａが前後に並べて複数（図示する例では３箇所）穿設されており、各取付孔４４ａには、ガイド部４２を取付けるための固定ボルト４６が設けられている（図５参照）。
【００３８】
前記ガイド部４２は、後方に向かって上下幅が広くなる扇状に成形されて前記取付面４４に沿って取付支持される支持面４７と、該支持面４７の上端前部をリールシリンダ１６の前方側となる左右外側方向に向けて傾斜するように屈曲形成した傾斜ガイド面４８と、該傾斜ガイド面４８の前端側をリールシリンダ１６の正面側を向くように屈曲形成した正面ガイド面４９とが、一体成形されている。
【００３９】
上記支持面４７は、取付面４４に沿って上下方向に延設された下端側に、前記取付面４４側の取付孔４４ａと同時に固定ボルト４６が挿通される支持孔４７ａが穿設されている。具体的には、該支持孔４７ａは、前後方向に複数（図示する例では３列）並べて配置されるとともに、各列上下方向に複数（図示する例では３箇所）穿設されている（図５（Ｂ）及び図６（Ａ）参照）。
【００４０】
該構成によれば、前記ガイド部４２は、取付部４１に対して上下方向にスライド移動して、ガイド部４２を取付部４１側に取付ける際に用いる前記支持孔４７ａを適宜選択することによって、ガイド部４２の上下方向の取付位置を変更することができる。これにより、ガイド体２１による上下方向のガイド範囲を複数段階で調整することができる。
【００４１】
ちなみに、該支持孔４７ａは、上下方向に並べて複数段で設けた孔に代えて、上下方向の長孔で形成し、この長孔を前後方向に複数列配置した構成としても良い。該構成によれば、前記ガイド部４２の取付部４１側への取付位置が、長孔で形成された支持孔４７ａの範囲内で上下スライド可能になる。
【００４２】
上記傾斜ガイド面４８は、後部側に刈取フレーム１１の上方に配置される前記支持アーム１３との干渉を防ぐための切欠４８ａが形成されている（図３及び図５参照）。これにより、該傾斜ガイド面４８は、前記リールシリンダ１６の前方全体をカバーできるとともに、傾斜ガイド面４８と支持面４７の後部側は、支持アーム１３の側方上側まで立上形成される。
【００４３】
上記構成のガイド体２１を設けたことによって、図４に示されるように、前記デバイダ１３の真後ろ側に、作物が後方搬送される左右の刈取フレーム１１の間である搬送経路の左右外側に向けて傾斜する前記傾斜ガイド面４８が配置されるとともに、該傾斜ガイド面４８からさらに搬送経路と略垂直となるように搬送経路外側に向けて屈曲された前記正面ガイド面４９が配置される。これにより、デバイダ１３によって刈取側に分草された作物が、デバイダ１３の後方側から各ガイド面に引っ掛ることなくスムーズに搬送経路側に案内される。
【００４４】
詳しく説明すると、該正面ガイド面４９及び傾斜ガイド面４８に当接した作物は、各ガイド面によってリールシリンダ１６の正面側から搬送経路上にガイドされ、リールシリンダ１６の後方まで延設された前記支持面４７及び取付面４４に沿って搬送経路上に後方搬送される。このとき、各支持面４７及び取付面４４は、後方（リールシリンダ）側に向って上方傾斜されているため、掻込リール１４により掻込まれて後方搬送される作物の先端側が、刈取フレーム１１の左右外側に垂れてリールシリンダ１６側に引っ掛る事態を防止できる。
【００４５】
また、前記ガイド体２１は、取付部４１とガイド部４２とに分割形成したことにより、作物をガイドするガイド部４２のみを取付部側から取外すことができるため、各ガイド面の清掃等のメンテナンスが容易になる。
【００４６】
なお、前記ガイド体２１は、取付部４１若しくはガイド部４２の少なくとも一部を弾性体によって構成しても良い。これにより、掻込リール１４の昇降作動に伴って、前記ガイド体２１の一部が、掻込リール１４や、支持アーム１３等の刈取部３側の一部と接触する範囲まで大きく形成できるようになるため、作物のガイドをより確実にできるように構成することができる。
【００４７】
ちなみに、前記ガイド体２１は、左右のリールシリンダの前方側にそれぞれ配置されているが（図３参照）、例えば、リールシリンダ１６が左右一方側にのみに設けられている場合等においては、これに応じてガイド体２１を左右一方側にのみ配置した構成であっても良い。
【００４８】
次に、図６に基づき、ガイド部の別実施例について説明する。図６（Ｂ）及び（Ｃ）は、ガイド部の別実施例を示した側面図であり、図７（Ａ）及び（Ｂ）は、刈取部の昇降状態に応じたガイド体のガイド範囲を示した要部側面図である。
【００４９】
前記ガイド部４２に穿設された支持孔４７ａは、支持面４７の前端側を支点として所定の中心角を有する円弧状の長孔に形成した構成としても良い（図６（Ｂ）参照）。これにより、前記支持面４７（ガイド部４２）は、前端側を支点に上下方向に回動させることで、取付面４４（取付部４１）に対する取付角度を連続的に調整できる。
【００５０】
また、前後方向に複数（図示する例では３列）並べて配置された前記支持孔４７ａは、支持面４７の前端を支点とした所定の中心角を有する円弧状となるように上下方向にも複数（図示する例では３箇所）穿設した構成としても良い（図６（Ｃ）参照）。すなわち、前記支持面４７（ガイド部４２）は、前端側を支点に上下回動させて取付面４４（取付部４１）に対する取付角度を複数段階（図示する例では３段）で調整できる。
【００５１】
ちなみに、前記ガイド体２１は、取付部４１とガイド部４２とを一体成形し、該ガイド体２１（取付部４２）を刈取フレーム１１側への取付けるにあたり、上述のガイド部４２の取付部４１側への取付けと同様に、前端側を支点とする上下回動や、上下方向のスライド移動によって、ガイド体２１の取付位置を変更できるように構成しても良い。該構成によれば、前記ガイド体２１が一体形成されたものであっても、ガイド体２１によるガイド範囲を調整することができる。
【００５２】
ここで、図７に示されるように、前記ガイド体２１は、刈取作業を行う作物の刈取高さ（種類）に応じて刈取部３が上昇作動されると、側面視で前端から後方に向かって上方傾斜するガイド体２１の傾斜角度Ｘが小さくなる（図７（Ｂ）参照）。言い換えると、刈取部３の上昇に伴って前記ガイド体２１が後方に向かって倒伏されることで、前記ガイド体２１によって作物をガイドする上下方向のガイド高さ（デバイダとガイド面の上端との間の高さ）が低くなるため、作物の穂先側がガイド体２１を越え易くなる。
【００５３】
これに対し、上記構成のガイド体２１によれば、ガイド面４８，４９の上下方向のガイド幅を大きくすることにより、刈取られる作物の種類・高さ（刈取部の昇降高さ）に応じて、作物がガイド体２１のガイド範囲より高くならないように調整することができる。
【００５４】
このとき、前記ガイド体２１は、ガイド部４２の前端側を支点に上下方向に回動させることによって、ガイド体２１の角度（図７の傾斜角度Ｘ）を調整できるため、刈取部３の上昇作動によるガイド体２１の倒伏の影響を最小限に抑えつつ、上下方向のガイド幅を効率良く大きくすることができる。これにより、該ガイド体２１は、作物の種類（刈取部３の高さ）によらず作物をスムーズにガイドすることができる。
【００５５】
次に、図８及び図９に基づき、前記ガイド体の別実施例２について、上述の例とは異なる点について説明する。図８は、別実施例２のガイド体を示した斜視図であり、図９（Ａ）及び（Ｂ）は、別実施例２のガイド体を設けて掻込リールを上昇作動した状態を示す要部側面図と、別実施例のガイド体を設けて掻込リールを下降作動した状態を示す要部側面図である。
【００５６】
前記ガイド体２１は、刈取フレーム１１側に着脱可能に取付けられる取付部４１と、該取付部４１側に着脱可能に支持されるガイド部５２とに分割形成されている。
【００５７】
前記ガイド部５２は、前記取付面４４に沿って取付支持される支持面５３と、該支持面５３の上端前部をリールシリンダ１６の前方側となる左右外側方向に向けて傾斜するように屈曲形成した傾斜ガイド面４８と、該傾斜ガイド面４８の前端側をリールシリンダ１６の正面側を向くように屈曲形成した正面ガイド面４９とが、一体成形されている。
【００５８】
前記支持面５３は、図８に示されるように、その前後方向が、取付面４４の前後方向の２倍程度の長さとなるまで延設されており、該支持面５３の後部側が取付面４４の後端上側からさらに上方側に大きく突出されるように形成されている。言い換えると、該支持面５３は、図９（Ａ）に示されるように、取付面４４（取付部４１）の上端側からさらに上方側へと大きく延設されており、該支持面５３は、前記掻込リール１４がリールシリンダ１６によって上昇作動された際の支持アーム１３側方側までカバーできるように構成されている。
【００５９】
該構成のガイド体２１によれば、リールシリンダ１６によって掻込リール１４が最上昇位置まで上昇作動された場合であっても、前記ガイド部５３は、伸長作動された前記リールシリンダ１６の側方側全体をカバーすることができるため、掻込まれる作物がリールシリンダ１６に絡まることをより確実に防止することができる。
【００６０】
また、該ガイド体２１は、前記取付部４１に取付けられるガイド部４２，５２のみを交換することによって、刈取られる作物の種類に適したガイド範囲に変更することができるため、コストを低く抑えることができる。
【符号の説明】
【００６１】
２    走行機体
３    刈取部
１４    掻込リール（リール）
１６    リールシリンダ（昇降シリンダ）
２１    ガイド体
４１    取付部（分割体）
４２    ガイド部（分割体）
５２    ガイド部（分割体）
【図１】
0006725799.tif 000002
【図２】
0006725799.tif 000003
【図３】
0006725799.tif 000004
【図４】
0006725799.tif 000005
【図５】
0006725799.tif 000006
【図６】
0006725799.tif 000007
【図７】
0006725799.tif 000008
【図８】
0006725799.tif 000009
【図９】
0006725799.tif 000010